(57)【特許請求の範囲】
【請求項１】
受信機又は中継器から引出された感知器回線に火災感知器を接続し、前記受信機又は中継器から電圧を変化させることで下り信号を送信し、前記火災感知器から電流を変化させることで上り信号を送信する火災報知設備に於いて、
前記受信機又は中継器に、
前記下り信号として全ての火災感知器の応答を要求する正常監視コマンド、又は終端設定された火災感知器の応答を要求する断線監視コマンドを含む監視コマンドに続いて火災感知器の最大アドレス数分の応答用パルスと所定数の予備応答用パルスを含む信号を送信する下り信号送信部と、
前記応答用パルスに対応して前記火災感知器からの監視コマンド応答となる第１応答上り信号を受信した後に、前記予備応答用パルスの所定のパルス位置に対応して前記監視コマンド応答とは無関係な第２応答上り信号を受信した場合、前記第１応答上り信号を無効として処理する上り信号処理部と、
を設け、
前記火災感知器に、前記受信機又は中継器から送信された下り信号の自己アドレスに対応した応答用パルスに同期して第１応答上り信号を送信する感知器応答部を設けたことを特徴とする火災報知設備。
【請求項２】
請求項１記載の火災報知設備に於いて、
前記下り信号送信部は、前記下り信号として所定の定期点検期間毎に全ての火災感知器を対象に定期点検コマンドを送信し、
前記上り信号処理部は、前記応答用パルスに対応して前記火災感知器からの定期点検コマンド応答となる第１応答上り信号を受信した後に、前記予備応答用パルスに対応して前記定期点検コマンド応答とは無関係な第２応答上り信号を受信した場合、前記第１応答上り信号を有効として処理することを特徴とする火災報知設備。
【請求項３】
請求項２記載の火災報知設備に於いて、前記定期点検コマンドは、火災感知器の種別毎に応答を要求する種別要求コマンド、ある火災感知器にプリアラーム履歴情報の応答を要求するプリアラーム検索コマンド、火災感知器に自動試験を指示して正常応答を要求する自動試験要求コマンド、又は火災により発報した火災感知器の応答を要求する発報アドレス検索コマンドを含むことを特徴とする火災報知設備。
【請求項４】
請求項１記載の火災報知設備に於いて、
前記感知器応答部は、前記下り信号送信部から送信される所定のコマンドへの応答として前記予備応答用パルスの所定のパルス位置に割り当てられた第２応答上り信号を、前記予備応答用パルスの当該割当パルス位置に対応して送信し、
前記上り信号処理部は、前記第２応答上り信号の割当パルス位置から応答内容を判別して処理することを特徴とする火災報知設備。
【請求項５】
請求項４記載の火災報知設備に於いて、
前記感知器応答部は、前記割当パルス位置に対応した第２応答上り信号として障害、プリアラームを含む代表信号を送信し、
前記上り信号処理部は、前記第２応答上り信号の割当パルス位置から前記代表信号を判別した際に、前記第１応答上り信号を有効とし、前記下り信号送信部に詳細検索コマンドの送信を指示することを特徴とする火災報知設備。
【発明の詳細な説明】
【技術分野】
【０００１】
本発明は、受信機又は中継器から火災感知器に下り信号を送信し、火災感知器から受信機又は中継器に上り信号を送信して火災を監視する火災報知設備に関する。
【背景技術】
【０００２】
従来、Ｐ型火災感知器として知られたオンオフ型の火災感知器を受信機又は中継器からの感知器回線に接続した火災報知設備にあっては、受信機又は中継器から火災感知器に監視コマンド等の下り信号を電圧変化で送信し、火災感知器から受信機又は中継器にコマンド応答の上り信号を電流変化で送信して火災を監視するようにしている。
【０００３】
図１３は従来設備における受信機又は中継器と火災感知器の間のコマンド送信の下り信号と、コマンド応答の上り信号のタイムチャートであり、パルスカウント伝送方式を採用している。
【０００４】
図１３（Ａ）はコマンド送信の下り信号であり、感知器回線の定常電圧を例えば１９Ｖとすると、１９Ｖから３１Ｖに変化させている。電圧変化で行う下り信号としてのコマンド信号は、スタートパルス７１、基準パルス７２、コマンド７４、７６で構成され、その後ろに感知器アドレスに対応したタイミングでコマンド応答上り信号を送信するための応答用パルス７８を設けている。
【０００５】
ここで、感知器回線に接続する火災感知器の最大数は例えば３８台であり、感知器台数に対応して応答用パルス７８を３８個送信している。またコマンド７４，７６は同じ内容であり、２連送することで信頼性を上げている。更にコマンド７４，７６は全ての火災感知器を対象とした一括コマンドを例に取っている。
【０００６】
火災感知器にあってはコマンド信号のコマンド７６に続く応答用パルス７８をカウントし、カウント値が予め設定した自己アドレスに一致すると、その直後の応答用パルス７８の空きタイミングで電流変化によるコマンド応答上り信号を送信する。図１３（Ｂ）は感知器回線に接続している３８台の火災感知器はコマンドが一括コマンドであることから全てコマンド応答として上り信号を送出している。
【０００７】
このコマンド応答の上り信号は、図１３（Ｃ）のアドレス１〜３８の火災感知器に示すように、応答用パルス７８をカウントして各アドレスに一致するタイミングでそれぞれの火災感知器がコマンド応答上り信号８２−１〜８２−３８を送信しており、その合成信号が図１３（Ｂ）のように上り信号として感知器回線に送信されることになる。
【特許文献１】特開２００１−１８４５７１号公報
【特許文献２】特開２００１−１８４５７６号公報
【発明の開示】
【発明が解決しようとする課題】
【０００８】
しかしながら、このような従来のパルスカウント伝送方式にあっては、受信機又は中継器からの送信した一括コマンドに対し全ての火災感知器が応答用パルスのカウントに対応して上り信号を応答送信した場合、ノイズの混入によって特定の上り信号が消失したり、ノイズそのものが上り信号として受信される場合があり、上り信号を誤検出する問題がある。
【０００９】
図１４は、受信機又は中継器から送信した下り信号の応答用パルス７８のアドレス１がノイズの影響により消失信号１００のように失われた場合であり、感知器側ではアドレス２となる下り信号の応答用パルス７８を最初のパルスとしてカウントを開始する。このため受信側では、アドレス１の火災感知器からの応答をアドレス２からの応答と誤って検出する。以降、アドレスが１ケずつずれてアドレス３７からの応答をアドレス３８からの応答と誤って検出する。このため、失われたアドレス１の応答用パルスに対応した応答がないため、アドレス１の火災感知器が障害を起こしていると誤検出してしまう。
【００１０】
このようなノイズによる上り信号の誤りを検出するため、一括コマンドを複数回送信し、火災感知器からの応答上り信号の多数決や連続一致などで信号を確定する方法、火災感知器のアドレスを個別に指定して応答を要求する個別コマンドを使用する方法、更に、火災感知器側に自己アドレスやパリティを付加して応答させる方法が考えられるが、いずれも伝送処理に時間がかかり、伝送効率が低下してしまう問題がある。
【００１１】
本発明は、火災感知器から応答する上り信号の誤りの有無を簡単且つ効率的に判定して信頼性を高める火災報知設備を提供することを目的とする。
【課題を解決するための手段】
【００１２】
本発明は、受信機又は中継器から引出された感知器回線に火災感知器を接続し、受信機又は中継器から電圧を変化させることで下り信号を送信し、火災感知器から電流を変化させることで上り信号を送信する火災報知設備を対象とする。
【００１３】
ここで、受信機又は中継器は、下り信号として全ての火災感知器の応答を要求する正常監視コマンド、又は終端設定された火災感知器の応答を要求する断線監視コマンドを含む監視コマンドに続いて火災感知器の最大アドレス数分の応答用パルスと所定数の予備応答用パルスを含む信号を送信する下り信号送信部と、応答用パルスに対応して火災感知器からの監視コマンド応答となる第１応答上り信号を受信した後に、予備応答用パルスの所定のパルス位置に対応して監視コマンド応答とは無関係な第２応答上り信号を受信した場合、第１応答上り信号を無効として処理する上り信号処理部とを設ける。
【００１４】
また、火災感知器は受信機又は中継器から送信された下り信号の自己アドレスに対応した応答用パルスに同期して第１応答上り信号を送信する感知器応答部を設ける。
【００１５】
受信機又は中継器の下り信号処理部は、前記下り信号として所定の定期点検期間毎に全ての火災感知器を対象に定期点検コマンドを送信し、受信機又は中継器の上り信号処理部は、前記応答用パルスに対応して前記火災感知器からの定期点検コマンド応答となる第１応答上り信号を受信した後に、予備応答用パルスに対応して定期点検コマンド応答とは無関係な第２応答上り信号を受信した場合、第１応答上り信号を有効として処理する。
【００１６】
定期点検コマンドは、火災感知器の種別毎に応答を要求する種別要求コマンド、火災感知器にプリアラーム履歴情報の応答を要求するプリアラーム検索コマンド、火災感知器に自動試験を指示して正常応答を要求する自動試験要求コマンド、又は火災により発報した火災感知器の応答を要求する発報アドレス検索コマンドを含む。
【００１９】
火災感知器の感知器応答部は、受信機又は中継器から送信される所定のコマンドへの応答として予備応答用パルスの所定のパルス位置に割り当てられた第２応答上り信号を、予備応答用パルスの当該割当パルス位置に対応して送信し、受信機又は中継器の上り信号処理部は、第２応答上り信号の割当パルス位置から応答内容を判別して処理する。
【００２０】
例えば火災感知器の感知器応答部は、予備応答用パルスの割当パルス位置に対応した第２応答上り信号として障害、プリアラームを含む代表信号を送信し、受信機又は中継器の上り信号処理部は、第２応答上り信号の割当パルス位置から代表信号を判別した際に、第１応答上り信号を有効とし、下り信号送信部に詳細検索コマンドの送信を指示する。
【発明の効果】
【００２１】
本発明によれば、火災感知器の最大アドレス数分の応答用パルスに例えば数個の予備応答用パルスを追加し、本来、感知応答のないはずである予備応答用パルスの空きタイミングで火災感知器からの上り信号が受信された場合は、ノイズ印加と判断し、本来の応答用パルスの空きタイミングで受信した感知器応答となる上り信号を無効化し、カウント伝送方式の伝送効率を落とすことなく、確実にノイズによる上り信号の誤検出を除去し、信号伝送の信頼性を向上することができる。
【００２２】
また１週間に１回というように長い間隔で送信される定期点検コマンド等については、予備応答用パルスに対応してノイズ印加による上り信号が受信されたとしても、次の検出応答まで時間が長くなり、また定期点検に応答内容についてはノイズによる誤検出の問題も少ないことから、このような場合には、応答用パルスに対応して受信された上り信号をノイズ印加を判断しても、そのまま有効として処理する。
【００２３】
更に、予備応答用パルスにパルス位置に対応して火災感知器で検出される各種の障害の代表信号等の応答を割り当てておくことで、予備応答用パルスのカウントに対応して必要な代表信号を上り信号として送信し、代表信号の受信に基づき詳細検索コマンドを発行して詳細情報を応答させることもできる。
【発明を実施するための最良の形態】
【００２４】
図１は本発明の一実施形態による火災報知設備の設備構成のブロック図である。図１において、受信機１０から引き出された伝送線１８及び中継器制御線１９に対し複数の中継器１２が接続されており、中継器１２のそれぞれからは感知器回線２０が引き出され、感知器回線２０に複数の感知器１４−１〜１４−ｎを接続している。
【００２５】
図２は図１における中継器１２の実施形態を示したブロック図である。図２において、中継器１２は伝送回路２２、中継器ＣＰＵ２４、電源部２６、電流検出回路２８、送信回路３０、上り信号検出回路３２を備えている。また中継器ＣＰＵ２４にはプログラム制御により実現される機能として中継処理部３６、下り信号送信部３８及び上り信号処理部４０が設けられている。
【００２６】
中継処理部３６は通常の監視状態で例えば一括コマンドとして断線監視コマンドと正常監視コマンドの送信を下り信号送信部３８に交互に指示し、送信回路３０を駆動して断線監視コマンド又は正常監視コマンドを含む下り信号を感知器回線２０に交互に送出する。
【００２７】
断線監視コマンドの下り信号に対しては、終端設定された火災感知器１４−ｎがコマンド応答の上り信号を送信する。また正常監視コマンドの下り信号に対しては全ての火災感知器１４−１〜１４−ｎがコマンド応答の上り信号を送信する。
【００２８】
中継器１２から感知器回線２０に送信される下り信号は感知器回線の電圧を変化させる所謂電圧モードの信号である。これに対し火災感知器１４から送信される上り信号は感知器回線を流れる電流を変化させる所謂電流モードの信号である。
【００２９】
中継処理部３６は、火災感知器１４−１〜１４−ｎのいずれかで火災を検出すると、例えば感知器回線２０に対し火災割込信号が送信されることから、この火災割込信号を受信すると、発報アドレス検索コマンドを送信して発報した火災感知器の感知器アドレスを取得する。
【００３０】
火災感知器による発報時の火災割込信号の送信は、例えば一定の時間間隔で３回連続して行われ、中継器処理部３６にあっては２回の火災割込信号の受信による発報アドレス検索コマンドの検索結果から２回一致した感知器アドレスが得られたら発報感知器を特定し、そして３回目の火災割込信号の受信で火災発報を確定し、受信機１０に対し火災検出を火災割込信号により通知し、火災警報を行わせる。
【００３１】
また中継処理部３６は、断線監視コマンドの下り信号の送信に対し終端設定した火災感知器１４−ｎから連続して所定回数、上り信号の応答がなかった場合に感知器回線２０の断線を確定して、断線障害を受信機１０に通報する。
【００３２】
下り信号送信部３８は、中継処理部３６からコマンドの送信を指示された際に、コマンド、応答用パルス及び予備応答用パルスからなる下り信号を送信回路３０を介して電圧モードで送信する。
【００３３】
ここで、応答用パルスのパルス個数は感知器回線２０に接続可能な火災感知器１４の最大アドレス数分のパルス個数であり、予備応答用パルスのパルス個数は任意に定めた所定個数である。本実施形態で火災感知器の最大アドレス数は３２アドレスとして応答用パルスを３２パルス出力し、続いて予備応答用パルスを例えば６パルス出力する。
【００３４】
上り信号処理部４０は、下り信号の応答用パルスに対応して火災感知器１４からコマンド応答となる上り信号（第１応答上り信号）を応答受信した後に、もしも予備応答用パルスに対応してコマンド応答とは無関係な上り信号（第２応答上り信号）を受信した場合、これはノイズ印加による誤った信号と判断し、基本的に、応答用パルスに対応したコマンド応答の上り信号（第１応答上り信号）を無効として処理する。
【００３５】
またノイズ印加による予備応答用パルスに対応したコマンド応答とは無関係な上り信号（第２応答上り信号）を受信した場合でも、コマンドの内容によってはコマンド応答の上り信号（第１応答上り信号）を有効として処理する場合もある。
【００３６】
図３は図１における火災感知器１４の実施形態を示したブロック図である。図３において、火災感知器１４は無極性・ノイズ吸収性回路４２、９Ｖ出力の定電圧回路４４、３Ｖ出力の定電圧回路４６、リセット監視回路４８、感知器ＣＰＵ５０、不揮発メモリであるＥＥＰＲＯＭ回路５２、パルス駆動回路５４、サーミスタなどの温度検出素子５６、温度検出回路５８、伝送信号検出回路６０、応答信号送出回路６２を備えている。
【００３７】
感知器ＣＰＵ５０に対して設けたＥＥＰＲＯＭ回路５２には感知器種別など火災感知器１４の処理に必要な各種の情報に加え、感知器アドレスが記憶されており、感知器回線２０の電源投入に伴うリセット監視回路４８による感知器ＣＰＵ５０のリセットスタートによる初期化処理でＥＥＰＲＯＭ回路５２より感知器アドレスを含む各種設定情報を内部のＲＯＭに展開し、感知器制御を行う。
【００３８】
感知器ＣＰＵ５０にはプログラム実行により実現される機能として感知器応答部６４が設けられる。感知器応答部６４は、中継器１２からコマンド、応答用パルス及び予備応答用パルスからなる下り信号を受信し、応答用パルスをカウントした値が自己アドレスに一致した場合、対応する応答用パルスの空きタイミングでコマンドに対応した上り信号（第１応答上り信号）を送信する。
【００３９】
例えば中継器１２からの正常監視コマンドを含む下り信号は伝送信号検出回路６０で検出されて感知器ＣＰＵ５０に入力され、コマンド内容を解読後、火災感知器１４に障害などの異常がなければ、感知器応答部６４が応答用パルスのカウント値が自己アドレスに一致した直後の応答用パルスの空きタイミングで応答信号を応答信号送出回路６２に出力し、応答信号送出回路６２が電流変化によりコマンド応答の上り信号を感知器回線２０に送信する。
【００４０】
もし火災感知器１４に障害アドレス情報などの異常があれば、応答用パルスのカウント値が自己アドレスに一致した直後の応答用パルスの空きタイミングでの応答信号の送信を停止する。
【００４１】
下り信号の予備応答用パルスについては、アドレス判別のためのパルスカウントをせずに無視するか、又はパルスカウントをしても自己アドレスとの比較は行わない。このため火災感知器１４は予備応答用パルスの空きタイミングでは原則として上り信号の応答送信を行うことはない。したがって中継器１２側で予備応答用パルスの空きタイミングで、もしも上り信号が受信された場合は、これはノイズの印加による誤った上り信号、即ちノイズそのものを受信しているということができる。
【００４２】
パルス駆動回路５４は感知器ＣＰＵ５０からの一定時間間隔の駆動パルスを受けて温度検出素子５６であるサーミスタを駆動しており、検出タイミングごとに温度検出回路５８で温度を検出して感知器ＣＰＵ５０に読み込み、感知器ＣＰＵ５０で予め設定した火災温度を超えたことで火災発報を検出し、応答信号送出回路６２を使用して火災割込信号を感知器回線２０に送信する。
【００４３】
本実施形態にあって感知器ＣＰＵ５０は火災発報を検出すると、中継器１２からの正常監視コマンドの送信間隔内で連続して例えば３回火災割込信号を送信する。正常監視コマンドが例えば９秒間隔で送信されていると、火災発報時に火災感知器１４は３秒間隔で連続して火災割込信号を送信する。
【００４４】
このような火災感知器１４からの火災割込信号につき、１回目と２回目については、中継器１２は発報アドレス検索コマンドを発行して感知器番号を取得し、３回目の火災割込信号の受信で感知器アドレスの検索結果が２回分一致したことを条件に火災を確定して受信機１０側に火災発生を通報する。
【００４５】
中継器１２で３回の火災割込信号について火災が確定されると中継器１２は発報表示灯制御コマンドを送信し、これを受けて火災感知器１４は感知器に設けている作動表示灯（図示せず）を点灯する。
【００４６】
中継器１２にあっては、第１報目で火災を確定すると、その後、一定周期で連続して発報アドレス検索コマンドを発行しており、したがって２報目の火災感知器が発報すると、発報アドレス検索コマンドに対し感知器アドレス応答信号を送信することで、中継器１２側において２報目、さらに３報目といった同一感知器回線２０における火災発報を認識することができる。
【００４７】
尚、図３の火災感知器１４にあってはサーミスタなどの温度検出素子５６による熱感知器を例にとるものであったが、発光素子と受光素子を備えた散乱光式煙検出部を備えた煙感知器であってもよい。
【００４８】
図４は図２の中継器１２から定常監視状態で送信される断線監視コマンドと正常監視コマンドのタイムチャートである。図４（Ａ）は図１の受信機１０から中継器１２に対し一定周期で送信される伝送同期コマンド６６であり、伝送同期コマンド６６に基づき中継器１２は図４（Ｂ）のように電圧変化となる下り信号として断線監視コマンド６８と正常監視コマンド７０を含む下り信号を交互に送信している。
【００４９】
図５は図２の中継器１２と火災感知器１４の間のコマンド送信の下り信号と、コマンド応答の上り信号のタイムチャートである。図５（Ａ）はコマンド送信の下り信号であり、感知器回線の定常電圧を例えば１９Ｖとすると、１９Ｖから３１Ｖに変化させている。
【００５０】
電圧変化で行うコマンド送信用の下り信号は、スタートパルス７１、基準パルス７２、コマンド７４、コマンド７６で構成され、その後ろに感知器アドレスに対応したタイミングでコマンド上り信号を送信するための応答用パルス７８と、ノイズ印加の誤り検出のために使用する予備応答用パルス８０を設けている。
【００５１】
本実施形態において、感知器回線に接続する火災感知器の最大数は例えば３２台であり、感知器台数に対応して応答用パルス７８を３２個送信し、続いて予備応答用パルス８０を６個送信している。なお、正常監視コマンドや断線監視コマンドといった一括コマンドの場合、感知器アドレスの指定は不要であることから、コマンド７４，７６は同じ内容であり、２連送することで信頼性を上げている。
【００５２】
火災感知器にあっては下り信号のコマンド７６に続く応答用パルス７８をカウントし、カウント値が予め設定した自己アドレスに一致すると、その直後の応答用パルス７８の空きタイミングで電流変化によるコマンド応答の上り信号を送信する。図５（Ｂ）は感知器回線に接続している３２台の火災感知器が一括コマンドである正常監視コマンドを受信してコマンド応答の上り信号を送出した場合である。
【００５３】
このコマンド応答の上り信号は、図５（Ｃ）のアドレス１〜３２の火災感知器１４−１〜１４−３２に示すように、応答用パルス７８をカウントして各アドレスに一致するタイミングでそれぞれの火災感知器がコマンド応答の上り信号８２−１〜８２−３２を送信しており、その合成信号が図５（Ｂ）のように上り信号として感知器回線に送信されることになる。
【００５４】
これに対し応答用パルス７８に続く予備応答用パルス８０については、コマンド応答に使用していないことから、上り信号の送信は行われず空きとなっており、もし中継器１２側で予備応答用パルス８０の空きタイミングで破線の上り信号８４が受信された場合は、これはノイズそのものである。
【００５５】
このようにノイズによる上り信号８４が予備応答用パルス８０の空きタイミングで受信されているということは、他の有効な上り信号がノイズの印加を受けて消失したり、本来、上り信号を送信していない部分でノイズとして発生している可能性が高いことが予測でき、コマンド対応の上り信号を例えば無効とする処理ができる。
【００５６】
図６は本実施形態の中継器から送信するコマンド一覧の説明図であり、図６（Ａ）が一括コマンド一覧９６であり、図６（Ｂ）が個別コマンド一覧９８である。
【００５７】
図６（Ａ）の一括コマンド一覧９６は、コマンドコード、コマンド名、コマンドの用途、応答端末及び予備応答用パルスの応答上り信号に対する取り扱いにわけて示している。中継器１２にあっては通常監視状態で図４のタイムチャートに示したように受信機１０からの伝送同期コマンド６６に対応して奇数タイミングで断線監視コマンド６８を含む下り信号を送信し、偶数タイミングで正常監視コマンド７０を含む下り信号を送信している。
【００５８】
断線監視コマンドは一括コマンド一覧９６のようにコマンドコードが「０４」であり、コマンドの用途は「終端感知器の呼出」であり、応答端末は終端設定がされた「終端感知器」となる。この場合の予備応答用パルスに対応した応答信号である上り信号の受信に対しては「ノイズ印加と判断して無効」としている。
【００５９】
また正常監視コマンドは一括コマンド一覧９６の４行目に示しており、コマンドコード「０８」であり、コマンドの用途は「接続感知器の呼出」であり、応答端末は「接続感知器」すなわち全ての接続感知器であり、更に予備応答用パルスに対する応答信号の取り扱いは「ノイズ印加と判断して無効」としている。
【００６０】
また一括コマンド一覧９６には例えば一週間に一回の定期点検のために送信される定期点検コマンドがあり、コマンドコード０５の煙感知器の呼出を対象とした種別要求コマンド、コマンドコード０６の熱感知器の呼出しを行う種別要求コマンド、コマンドコード０Ｄ，０Ｅ，０Ｆのプリアラーム１回、２回、３回の各感知器呼出に使用するプリアラーム検索１回、プリアラーム検索２回及びプリアラーム検索３回の各コマンド、更にコマンドコード１１の感知器の自動試験制御と結果呼出を行う自動試験要求コマンドを例示している。
【００６１】
定期点検コマンドについて予備応答用パルスのタイミングの応答信号となる上り信号に対しては「有効」としている。この理由は、定期点検コマンドが例えば一週間に一回という時間間隔で送信されており、ノイズ印加により無効として扱うと次の一週間が経過するまで定期点検コマンドによる火災感知器の応答が更新されない状態が続くことを回避するためである。また定期点検コマンドの応答内容は、プリアラーム回数や自動試験正常といった内容であり、ノイズにより誤検出されても大きな問題を引き起す可能性が低いことによる。
【００６２】
更に一括コマンド一覧９６最後の行のコマンドコード２２は発報アドレス検索コマンドであり、火災感知器からの火災割込信号の受信に基づいて発行されるコマンドであり、応答するコマンドは火災を発報した感知器となる。
【００６３】
図６（Ｂ）は中継器１２から発行する個別コマンド一覧９８であり、個別コマンドにあっては火災感知器のアドレスを指定したコマンドを含む下り信号の送信を行う。この個別コマンドの送信は図５（Ａ）の下り信号における同一のコマンド７４，７６の後ろにデータとして感知器アドレスを挿入し、その後に応答用パルス７８と予備応答用パルス８０を送信する。
【００６４】
個別コマンド一覧９８の個別コマンドとして、この例にあっては、モニタ値読込コマンド、端末発報試験コマンド、発報表示灯オンコマンド及び発報表示灯オフコマンドを示している。このうち端末発報試験コマンド、発報表示灯オンコマンド、発報表示灯オフコマンドについては応答データは制御先の火災感知器のアドレスであるが、モニタ値読込コマンドについては火災感知器アドレスに煙濃度または温度などのアナログ値を加えた応答データとしている。
【００６５】
また応答データとしてのアナログ値の転送は、図５（Ａ）の応答用パルス７８の後ろにアナログ値専用の応答用の応答パルスを例えば８パルス追加し、その後ろの予備応答用パルス８０を配置することになる。
【００６６】
この個別コマンド一覧９８に示した個別コマンドについては、いずれのコマンドについても、予備応答用パルスの空きタイミングに上り信号が受信された場合には、ノイズの印加と判断して応答用パルスの空きタイミングで受信されるコマンド応答の上り信号を無効とし、再度同じコマンドの下り信号を送信するリトライを行わせる。
【００６７】
尚、図６（Ａ）の一括コマンド一覧９６及び図６（Ｂ）の個別コマンド一覧９８は中継器から送信するコマンドの一例であり、必要に応じて適宜のコマンドを設定することができる。
【００６８】
図７は図２の中継器１２における中継器処理のフローチャートである。図７において、中継器処理はステップＳ１で電源投入に伴う初期化処理を行った後、ステップＳ２で火災割込信号の受信の有無をチェックしており、いずれかの火災感知器で火災発報が行われて火災割込信号が送信されるとこれを受信し、ステップＳ３で発報アドレス検索処理として発報アドレス検索コマンドを送信し、発報した火災感知器のアドレスを取得する。
【００６９】
続いてステップＳ４で同一アドレスの火災割込信号のＮ回受信の有無をチェックしており、例えばＮ＝３回受信を判別するとステップＳ５で火災を確定し、受信機１０に対し火災割込信号を送信して火災警報を行わせる。火災発報中はステップＳ６で受信機からの復旧コマンドの受信をチェックしており、復旧コマンドを受信するとステップＳ７で感知器回線に対する電源供給を遮断した後に復旧させる復旧制御を行う。
【００７０】
続いてステップＳ８で受信機１０からの伝送同期コマンドを受信すると、ステップＳ９で正常監視処理の偶数タイミングで正常監視コマンドを送信して全ての火災感知器１４−１〜１４−ｎから正常応答の上り信号を受信し、もし正常応答の上り信号が受信されない火災感知器があれば、例えば連続して３回応答なしが続いたときに火災感知器の障害を確定して受信機に通報する。
【００７１】
また正常監視処理の奇数タイミングについてはステップＳ１０で断線監視コマンドを送信し、終端設定した火災感知器１４−ｎから断線応答の下り信号を受信すれば正常と判断し、例えば連続して３回断線応答の上り信号を受信できなければ感知器回線２０の断線障害を確定し、受信機に断線障害の発生を通報する。このようなステップＳ２〜Ｓ１０の処理を繰り返す。
【００７２】
尚、ステップＳ５で火災を確定した際には、発報表示灯制御コマンドを送信して発報感知器に作動表示灯を点灯させて、この状態で繰り返し発報アドレス検索コマンドを送信して、２報目以降の発報を識別するようにしているが、この点にあってはフローチャートでは省略している。
【００７３】
図８は図２の中継器における中継器伝送処理のフローチャートであり、図５のタイミングチャートを参照して説明すると次のようになる。
【００７４】
図８において、ステップＳ１でコマンド送信イベントの発生を判別すると、ステップＳ２で図５（Ａ）に示すようにスタートパルス７１に続いて基準パルス７２、同じコマンド内容のコマンド７４，７６、感知器最大アドレスであるアドレス１〜３２に対応した３２個のパルスをもつ応答用パルス７８を送信し、最後に例えば６パルスの予備応答用パルス８０を送信する。
【００７５】
次にステップＳ３で応答用パルス７８の空きタイミングで火災感知器からコマンド応答の上り信号を受信したか否かチェックしており、上り信号を受信するとステップＳ４で感知器応答の上り信号を保持した後、ステップＳ５で最終の応答用パルスの応答タイミングへの到達を判別するまでステップＳ３からの処理を繰り返す。
【００７６】
ステップＳ５で最終の応答用パルスの応答タイミングが判別されるとステップＳ６に進み、予備応答用パルス８０の空きタイミングで感知器応答の上り信号を受信したか否かチェックする。もし予備応答用パルスの空きタイミングで感知器応答の上り信号を受信した場合にはステップＳ７に進み、コマンド種別から予備応答用パルスの空きタイミングで受信した上り信号は有効か否か判定する。この判定は図６（Ａ）の一括コマンド一覧９６及び図６（Ｂ）の個別コマンド一覧９８に示した内容となる。
【００７７】
ステップＳ８で判定結果が有効であった場合にはステップＳ９に進み、ステップＳ４で保持した応答用パルスの空きタイミングで受信した感知器応答の上り信号に基づく感知器応答処理を実行する。
【００７８】
一方、ステップＳ８で判定結果が無効であった場合にはステップＳ１０に進み、ステップＳ４で保持している応答用パルスの空きタイミングで受信した感知器応答の上り信号を無効化する。
【００７９】
尚、上り信号を無効化した場合にはコマンドによってはリトライ処理を行ったり、別の判断を行う。例えば図６（Ｂ）の個別コマンド一覧９８についてはリトライを行い、図６（Ａ）の一括コマンド一覧９６における発報番号検索についてはアドレス１〜３２のいずれかに対応した上り信号については無効とするが、上り信号の受信結果は火災感知器の発報と判断して処理する。
【００８０】
図９は図３の火災感知器における感知器処理のフローチャートである。図９において、感知器処理はステップＳ１で感知器回線の電源投入に伴う初期化処理を行った後、ステップＳ２で火災検出の有無をチェックしており、火災検出があるとステップＳ３で火災割込信号を出力する。続いてステップＳ４で中継器からの発報アドレス検索コマンドの受信の有無をチェックしており、このコマンドを受信するとステップＳ５で応答用パルスの自己アドレスのタイミングで検索応答信号を出力する。
【００８１】
続いてステップＳ６で発報表示灯の点灯制御を中継器１２からの発報制御コマンドの受信に基づいて行う。続いてステップＳ７で正常監視コマンドの受信の有無をチェックしており、正常監視コマンドの受信を判別するとステップＳ８で応答用パルスをカウントした値が自己アドレスに一致したタイミングで正常応答の上り信号を出力する。
【００８２】
尚、終端設定された火災感知器１４−ｎにあっては、断線監視コマンドの受信を判別すると、断線応答の上り信号を応答用パルスをカウントした値が自己アドレスに一致したタイミングで送信することになる。
【００８３】
以上の実施形態にあっては中継器１２から火災感知器に送信する下り信号に設けた予備応答用パルスの空きタイミングで受信される上り信号をノイズ印加状態として処理しているが、他の実施形態として予備応答用パルス８０の空きタイミングを使用して火災感知器から障害代表信号やプリアラーム代表信号、更には火災発報時の発報アドレス検索コマンドに対する応答として種別応答信号などを上り信号として応答送信するようにしても良い。
【００８４】
図１０は予備応答用パルスの空きタイミングを使用して火災感知器側から送信される端末応答信号の端末応答割当一覧である。
【００８５】
この端末応答割当一覧８５にあっては、図５（Ａ）に示した予備応答用パルス８０のパルス番号３３〜３８のパルスに対応して感知器割当応答信号を設定する。この例では予備応答用パルス番号の３３、３５、３７番は空きであるが、３４番に障害代表信号を割当、３６番にプリアラーム代表信号を割当、さらに３８番に煙種別応答信号を割り当てている。
【００８６】
ここで感知器割当応答信号を割り当てていない３３、３５、３７の空き部分についてはノイズ印加を判定するための上り信号受信タイミングとして使用することができる。
【００８７】
図１１は図１０の端末応答割当一覧８５の予備応答用パルス３４の空きタイミングで上り信号が受信された際の割当信号である障害代表信号を判別した際に、中継器から送信される障害検索コマンドの一覧である。
【００８８】
図１１の障害検索コマンド一覧８７にあっては、火災感知器におけるゼロ点異常の感知器呼出行うコマンドコード０９の障害検索コマンドと、火災感知器のアンプ回路異常の感知器呼出を行うコマンドコード０Ｂの障害検索コマンドを例にとっている。この２つの障害検索コマンドに対する火災感知器からの応答データは、いずれも感知器アドレスである。
【００８９】
また予備応答用パルスの応答上り信号が受信された場合にはノイズ印加と判断して応答用パルスの空きタイミングのコマンド応答の上り信号を無効とし、障害検索コマンドを再度発行するリトライ処理を行うようにしている。
【００９０】
更に図１０の端末応答割当一覧８５の応答信号は、中継器から送信するコマンドに対応して割り当てられている。例えば障害代表信号とプリアラーム代表信号は正常監視コマンドを受信した際の応答信号として割り当てられ、また煙種別応答信号は発報アドレス検索コマンドを受信した際の応答信号として割り当てられている。
【００９１】
図１２は予備応答用パルスの空きタイミングで上り信号を受信した場合の中継器の感知器応答処理のフローチャートである。
【００９２】
図１２において、予備応答用パルスの空きタイミングで上り信号を受信した場合には、まずステップＳ１で正常監視コマンドの応答か否かチェックし、そのコマンド応答信号であった場合にはステップＳ２に進み、予備応答用パルスに対する上り信号の受信位置から信号種別を判定する。
【００９３】
例えば割当位置が予備応答用パルス番号の３４の空きタイミングであった場合には障害代表信号と判別し、３６の空きタイミングであった場合にはプリアラーム代表信号と判別する。続いてステップＳ３で判定結果が障害代表信号であった場合にはステップＳ４に進み、図１１のコマンドコード０９及び０Ｂの障害検索コマンドを順次送信し障害内容を特定する。
【００９４】
もし障害代表信号でなかった場合にはステップ５に進み、判定結果がプリアラーム代表信号か否か判別し、プリアラーム代表信号であった場合にはステップＳ６でプリアラーム履歴情報の応答を要求するプリラーム検索コマンドを送信してプリアラーム発生感知器を特定する。
【００９５】
この場合のプリアラーム検索コマンドとしては例えば図６（Ａ）の一括コマンド一覧９６に示したプリアラーム検索１回、プリラーム検索２回及びプリアラーム検索３回の各コマンドを順次送信してプリアラームが発生している感知器とその回数を特定することができる。
【００９６】
続いてステップＳ７で発報アドレス検索コマンドの応答であることを判別した場合には、煙種別応答信号か否か判定し、煙種別応答信号であった場合にはステップＳ９で火災発報した火災感知器に対する時間設定処理を実行する。蓄積時間設定処理は、煙感知器の発報から予め設定した蓄積時間まで火災発報状態が継続している場合に、火災を断定して警報することになる。
【００９７】
尚、図１０〜図１２の予備応答用パルスの空きタイミングを使用した感知器割当応答信号の設定は一例であり、必要に応じて適宜の感知器応答の割当を行うことができる。
【００９８】
また本実施形態は受信機、中継器及び火災感知器で構成した場合を例にとるものであったが、受信機と火災感知器で構成される火災報知設備についてもそのまま適用できる。この場合には図１の受信機１０と中継器１２との間の伝送部分を除いて、中継器１２の構成を受信機１０に含めれば良い。
【００９９】
また、本実施形態は、応答用パルスの後に予備応答用パルスを配置しているが、応答用パルスの間に予備応答用パルスを分散配置してもよい。例えば３２パルスの応答用パルスを前半と後半に分け、応答用パルス１６個、予備応答用パルス３個、応答用パルス１６個、予備応答用パルス３個のパルス配置とする。
【０１００】
この場合、火災感知器はパルスカウント１〜１６，２０〜３５に対応したアドレス１〜１６，２０〜３５を設定すれば良い。このような予備応答用パルスの分散配置により、ノイズの印加タイミングがばらついても、より確実にノイズ印加を検出することができる。
【０１０１】
また本実施形態はその目的と利点を損なうことのない適宜の変形を含み、さらに上記の実施形態に示した数値による限定は受けない。
【図面の簡単な説明】
【０１０２】
【図１】中継器と火災感知器による本実施形態の火災報知設備の実施形態を示したブロック図
【図２】図１における中継器の実施形態を示したブロック図
【図３】図１における火災感知器の実施形態を示したブロック図
【図４】図２の中継器からの断線監視コマンドと正常監視コマンドの送信タイミングのタイムチャート
【図５】図２の中継器と火災感知器の間のコマンド送信の下り信号とコマンド応答の上り信号のタイムチャート
【図６】本実施形態の中継器から送信するコマンド一覧の説明図
【図７】図２の中継器における中継器処理のフローチャート
【図８】図２の中継器における中継器伝送処理のフローチャート
【図９】図３の火災感知器における感知器処理のフローチャート
【図１０】予備応答用パルスに対応して火災感知器に割当てられた感知器割当応答信号の説明図
【図１１】予備応答用パルスに対応した障害代表信号の受信で中継器から送信される障害検索検索コマンドの説明図
【図１２】予備応答用パルスの空きタイミングで上り信号を受信した場合の中継器の感知器応答処理のフローチャート
【図１３】従来のパルスカウント伝送における受信機又は中継器からのコマンド送信の下り信号と火災感知器からのコマンド応答の上り信号のタイムチャート
【図１４】ノイズによる上り信号の消失で上り信号を誤検出した場合のタイムチャート
【符号の説明】
【０１０３】
１０：受信機
１２：中継器
１４：火災感知器
１８：伝送線
１９：中継器制御線
２０：感知器回線
２２：伝送回路
２４：中継器ＣＰＵ
２６：電源部
２８：電流検出回路
３０：送信回路
３２：応答信号検出回路
３４：感知器障害検出回路
３６：中継処理部
３８：下り信号送信部
４０：上り信号処理部
４２：無極性・ノイズ吸収回路
４４，４６：定電圧回路
４８：リセット監視回路
５０：感知器ＣＰＵ
５２：ＥＥＰＲＯＭ回路
５４：パルス駆動回路
５６：温度検出素子
５８：温度検出回路
６０：伝送信号検出回路
６２：応答信号送出回路
６４：感知器応答部
６６：伝送同期コマンド
６８：断線監視コマンド
７０：正常監視コマンド
７１：スタートパルス
７２：基準パルス
７４，７６：コマンド
７８：応答用パルス
８０：予備応答用パルス
８２−１〜８２−３２：上り信号
【図１】
0004810248.tif 000002
【図２】
0004810248.tif 000003
【図３】
0004810248.tif 000004
【図４】
0004810248.tif 000005
【図５】
0004810248.tif 000006
【図６】
0004810248.tif 000007
【図７】
0004810248.tif 000008
【図８】
0004810248.tif 000009
【図９】
0004810248.tif 000010
【図１０】
0004810248.tif 000011
【図１１】
0004810248.tif 000012
【図１２】
0004810248.tif 000013
【図１３】
0004810248.tif 000014
【図１４】
0004810248.tif 000015